(57)【特許請求の範囲】
【請求項１】
飲料容器の上端の開口部に着脱自在に取り付けられる蓋本体と、該蓋本体に摺動可能に取り付けられる開閉部材を備えた飲料容器の蓋体であって、
前記蓋本体に、上下に貫通する２個の貫通穴と、これら貫通穴が形成される穴形成部と、前記穴形成部の外周縁側で起立する外周壁部が形成され、
前記貫通穴が、前記蓋本体の外周部における中心を隔てて相対向する２個所に形成されるとともに、前記貫通穴のうち一方の前記貫通穴が飲み口、他方の前記貫通穴がストロー差し込み口として互いに異なる形状であり、
前記飲み口となる前記貫通穴を有する前記穴形成部が、前記蓋本体の中心部よりも下方へ下がり前記貫通穴がわほど低くなる三次元に湾曲した傾斜面を有し、前記貫通穴が前記ストロー差し込み口となる前記貫通穴側の部分に壁を残して前記穴形成部のなかで最も低い位置に形成され、
前記ストロー差し込み口となる前記貫通穴が、前記蓋本体の中心部よりも低く、前記飲み口となる前記貫通穴よりも高い位置に形成され、
前記蓋本体における中心と２個の前記貫通穴を通る直径部分に端から端まで摺動凹部が形成され、
前記開閉部材が前記貫通穴を開閉すべく前記貫通穴より上方の前記摺動凹部に摺動可能に取り付けられるとともに、
前記蓋本体と前記開閉部材との間に、前記開閉部材を前記貫通穴が開放される位置と閉鎖される位置に位置決めする位置決め構造が形成され、
前記開閉部材に、閉鎖位置にある場合に前記外周壁部の上端に対して上から近接する閉鎖端部が形成された
飲料容器の蓋体。
【請求項２】
前記開閉部材が、一直線上を摺動するものであるとともに、摺動方向と直交する方向の左右両側で外方に突出する摺動片と、これら摺動片より下の位置で左右方向外方に付勢された左右一対で一組の係合突起を有し、
前記蓋本体が、前記開閉部材を収める摺動凹部と、前記摺動片に対応する位置の摺動溝と、前記係合突起が係合する３組の被係合部を有する
請求項１に記載の飲料容器の蓋体。
【請求項３】
前記蓋本体における前記開閉部材が摺動する部分の上面には、前記開閉部材における前記ストロー差し込み口となる前記貫通穴に対応する側の閉鎖端部の内側面が引っかかる抜け止めストッパを備え、
前記開閉部材が、前記ストロー差し込み口となる前記貫通穴の方向に移動させることで前記摺動凹部から抜き取り可能に形成された
請求項１または請求項２に記載の飲料容器の蓋体。
【請求項４】
前記閉鎖端部の上端外周縁に、外方にせり出す庇部が形成された
請求項１から請求項３のうちいずれか一項に記載の飲料容器の蓋体。
【請求項５】
前記外周壁部が前記飲料容器の上端の開口部よりも内周側において上方に突出するものである
請求項１から請求項４のうちいずれか一項に記載の飲料容器の蓋体。
【請求項６】
請求項１から請求項５のうちいずれか一項に記載の飲料容器の蓋体を備えた
タンブラー。
【発明の詳細な説明】
【技術分野】
【０００１】
この発明は、たとえばタンブラーやデカンタなどの飲料容器、特に保温性を有する容器に好適に蓋体に関する。
【背景技術】
【０００２】
タンブラーに使用する蓋体として、下記特許文献１に開示されたものがある。この蓋体は、タンブラーの上端開口部にほぼ全体を嵌め込むように取り付けられるもので、周方向の一部に平面視略方形状の切欠きが形成されている。この切欠きが飲料容器内部の液体を飲むときに液体が流れ出る液通孔で、液通孔の上には、液通孔を開閉するスライド蓋が備えられている。
【０００３】
このような蓋体をタンブラーに取り付けると、埃などの侵入を防止できる上に飲料容器の保温機能を向上するというメリットがある。
【０００４】
しかし、蓋体を付けたまま飲料を飲んだあと、蓋体の液通孔付近が見苦しくなるおそれがある。つまり、飲料を飲むときは唇を飲料容器の上端縁に付けて傾けるが、飲料容器の容量によっては飲料が液通孔の幅全体に広がる。この場合、飲料容器の傾きを戻したときに飲料は液通孔の近辺に残る。飲料がスライド蓋との間に入ることもある。しかも、スライド蓋を閉じても残留した飲料は見える。
【先行技術文献】
【特許文献】
【０００５】
【特許文献１】特開２０１５−１６６２５８号公報
【発明の概要】
【発明が解決しようとする課題】
【０００６】
そこで、この発明は、飲料を一度途中まで飲んだ後でも飲み口部分を美麗に保てるようにすることを主な目的とする。
【課題を解決するための手段】
【０００７】
そのための手段は、飲料容器の上端の開口部に着脱自在に取り付けられる蓋本体と、該蓋本体に摺動可能に取り付けられる開閉部材を備えた飲料容器の蓋体であって、前記蓋本体に、上下に貫通する２個の貫通穴と、これら貫通穴が形成される穴形成部と、前記穴形成部の外周縁側で起立する外周壁部が形成され、前記貫通穴が、前記蓋本体の外周部における中心を隔てて相対向する２個所に形成されるとともに、前記貫通穴のうち一方の前記貫通穴が飲み口、他方の前記貫通穴がストロー差し込み口として互いに異なる形状であり、前記飲み口となる前記貫通穴を有する前記穴形成部が、前記蓋本体の中心部よりも下方へ下がり前記貫通穴がわほど低くなる三次元に湾曲した傾斜面を有し、前記貫通穴が前記ストロー差し込み口となる前記貫通穴側の部分に壁を残して前記穴形成部のなかで最も低い位置に形成され、前記ストロー差し込み口となる前記貫通穴が、前記蓋本体の中心部よりも低く、前記飲み口となる前記貫通穴よりも高い位置に形成され、前記蓋本体における中心と２個の前記貫通穴を通る直径部分に端から端まで摺動凹部が形成され、前記開閉部材が前記貫通穴を開閉すべく前記貫通穴より上方の前記摺動凹部に摺動可能に取り付けられるとともに、前記蓋本体と前記開閉部材との間に、前記開閉部材を前記貫通穴が開放される位置と閉鎖される位置に位置決めする位置決め構造が形成され、前記開閉部材に、閉鎖位置にある場合に前記外周壁部の上端に対して上から近接する閉鎖端部が形成された飲料容器の蓋体である。
【０００８】
この構成では、飲料容器に蓋体を取り付けると、蓋体が上端開口部を塞いで貫通穴のみが飲料容器の内と外を連通可能にする部分となる。貫通穴は開閉部材が閉鎖位置にある場合に閉じられ、開放位置にある場合に開放される。開閉部材の閉鎖位置も開放位置も、位置決め構造が位置決めするので、傾けても開閉部材が不測に閉じたり開いたりすることは防止される。そして、貫通穴を有する穴形成部の外周縁側には外周壁部が設けられているので、外周壁部の存在によって貫通穴は相対的に低く形成されていることになる。開閉部材を閉鎖位置に摺動したときには、開閉部材の閉鎖端部が外周壁部の上端に対して上から近接する。つまり、飲料は外周壁部の上端よりも低い位置にある穴形成部に止まり、それより上がることが抑えられる上に、閉鎖端部が外周壁部の上端を覆い隠す。
【０００９】
ストロー用の貫通穴にストローを挿して飲んでもストローを抜くときにストローの先に付着した飲料の液滴が貫通穴の周りに落ちたとしても、前述と同様に液滴は穴形成部に止まり、開閉部材を閉じれば隠蔽される。
【発明の効果】
【００１０】
この発明によれば、飲料を一度途中まで飲んだ後でも飲み口部分に飲料が残ったり見えたりすることを抑えることができ、飲み口部分を美麗に保てる。
【図面の簡単な説明】
【００１１】
【図１】一方の貫通穴をあけた状態の蓋体の使用状態を示す斜視図。
【図２】蓋体と飲料容器の斜視図。
【図３】２個の貫通穴の中心を通る位置における蓋体と飲料容器の断面図。
【図４】２個の貫通穴の中心を通る線と直交する中央位置における蓋体と飲料容器の断面図。
【図５】上方から見た蓋体の分解斜視図。
【図６】下方から見た蓋体の分解斜視図。
【図７】蓋体の平面図。
【図８】一方の貫通穴をあけた蓋体の平面図。
【図９】他方の貫通穴をあけた蓋体の平面図。
【発明を実施するための形態】
【００１２】
この発明を実施するための一形態を、以下図面を用いて説明する。  
図１は、飲料容器１１に蓋体３１を取り付けた状態の斜視図である。この例に示す飲料容器１１は、蓋体３１を外した状態の図２に示すように、有底筒状で上端に開口部１２を有するコップ型のもので、いわゆるタンブラーと称される金属製真空二重構造である。開口部１２の内周面には、蓋体３１が安定して取り付けられるように若干大径の大径部１３が形成されている。大径部１３の下端は傾斜面１３ａを有する。
【００１３】
飲料容器１１はタンブラーのほか、たとえばデカンタなどその他の飲料容器であってもよい。
【００１４】
蓋体３１は、飲料容器１１内の飲料を外周部の２箇所から出せるように構成されており、飲料を出す位置の選択は、図２に仮想線で示したように１個の部材の摺動で択一的行える。
【００１５】
このような蓋体３１は、飲料容器１１の開口部１２に着脱自在に取り付けられる蓋本体３２と、蓋本体３２に摺動可能に取り付けられる開閉部材３３を備えている。蓋本体３２と開閉部材３３は合成樹脂製である。
【００１６】
蓋本体３２は、飲料容器１１の平面視形状にあわて平面視円形で、厚さ方向の中間部より下側部分が飲料容器１１の大径部１３に嵌合するものである。このため蓋本体３２は、短円筒状をなす周壁３５の下側部分の外周面に、断面図である図３、図４に示したように、上下に間隔を隔てて形成された２本のリブ３６，３７を全周にわたって有する。図３は飲料を出す２箇所の中心を通る位置で切断した縦断面図、図４はそれとは直交する方向の中央で切断した縦断面図である。
【００１７】
これらリブ３６，３７の間隔は飲料容器１１の大径部１３の高さに略対応する。具体的には、蓋体３１を飲料容器１１の大径部１３に嵌合したときに、下側のリブ３６が大径部１３の下端部に位置して上側のリブ３７が開口部１２と同じ高さになるように形成されている。これらリブ３６，３７の間には飲料容器１１との間で止水を行うパッキン３８が保持される。図３に示したように下側のリブ３６の一部は切り欠かれているが（図６参照）、これはパッキン３８を取り外しやすくするためである。
【００１８】
周壁３５における上側のリブ３７より上方の部分は、図３、図４に示したように、飲料容器１１の開口部１２よりも内周側において上方に突出するように、適宜高さに形成されている。また周壁３５は、上端側ほど若干外周側に広がるように湾曲している。
【００１９】
周壁３５の内周側には上下に仕切る隔壁部４０が形成されている。この隔壁部４０に上下に貫通する２個の貫通穴４１，４２が形成されている。これらの貫通穴４１，４２は飲料を出す部分で、互いに異なる形状である。異なる形状とは、大きさのみが異なる場合も含む意味である。
【００２０】
具体的には、一方の貫通穴４１は平面視円形で、他方の貫通穴４２はそれよりも大きい平面視略半楕円形である。円形の貫通穴４１は、図３に仮想線で示したように、ストローＳを差し込むのに適した大きさ、具体的にストローＳの径に対応する大きさに形成されている。略半楕円形の貫通穴４２は、飲料を直接飲むときに使用されるもので、注ぎやすい形に形成される。この貫通穴４２は略半楕円形以外の適宜の形状に形成されてもよい。
【００２１】
貫通穴４１，４２の形成位置は、斜視図である図５、図６にも示したように、周壁３５に近い外周部における中心を隔てて相対向する２箇所である。中心と２個の貫通穴４１，４２を通る直径部分は、貫通穴４１，４２より広い適宜の幅で全体が凹んでいる。この凹んだ部分は開閉部材３３が取り付けられる摺動凹部４３である。摺動凹部４３は開閉部材３３を収める大きさに形成される。
【００２２】
摺動凹部４３の底面は起伏のある形状であり、貫通穴４１，４２が形成される２個の穴形成部４４，４５は、これらの間の中間部４６の高さよりも低い。また、２個の穴形成部４４，４５は、貫通穴４１，４２の用途に応じてそれぞれ高さが異なる。具体的には図３に示したようにストローＳを差し込んで使用する一方の貫通穴４１は、中間部４６の高さより若干低い位置に形成され、直接飲むのに使用する他方の貫通穴４２は、中間部４６の高さよりもかなり低く、周壁３５の下端の高さに近い位置まで下がるように形成されている。またストロー用の貫通穴４１を有する穴形成部４４は平らに形成されているのに対して、直接飲み用の貫通穴４２を有する穴形成部４５は、貫通穴４２側ほど低くなる三次元に湾曲した傾斜面４５ａを有している。つまり貫通穴４２が穴形成部４５のなかで最も低い位置に形成されている。この傾斜面４５ａによって、飲料が穴形成部４５に戻っても、必ず貫通穴４２を通って下に落ちることになる。
【００２３】
このような２個の穴形成部４４，４５の外周縁側には、前述の周壁３５の一部である外周壁部４７，４８が形成されている。外周壁部４７，４８のうち、ストロー用の貫通穴４１に隣接する外周壁部４７は図３、図５に示したように、直接飲み用の貫通穴４２に隣接する外周壁部４８よりも低い。図３に示したように、ストロー用の貫通穴４１に隣接する外周壁部４７の上端高さは摺動凹部４３の底面における中間部４６の上面高さと同じである。
【００２４】
前述の開閉部材３３は、２個の貫通穴４１，４２を択一的に開閉するもので、摺動凹部４３の底面における中間部４６の上面高さより上に直径方向で往復動するように着脱可能に取り付けられる。
【００２５】
開閉部材３３は、図５に示したように、摺動凹部４３に嵌ったときに蓋本体３２と共に平面視円形になる円弧を長手方向の両端に備えた略短冊状で、長手方向に沿って一直線上を摺動するように、摺動方向と直交する方向の左右両側で外方に突出する摺動片５１を有する。また、開閉部材３３は、図６に示したように一対の摺動片５１より下、具体的にはわずかな隙間を隔てたすぐ下の位置で左右方向外方に付勢された左右一対で一組の係合突起５２を有している。係合突起５２は、平面視方形枠状の弾性枠５３の外側面に形成され、先端位置が摺動片５１を有する側面位置よりも僅かに外側に突出し、摺動片５１の先端位置よりも後退した位置である。係合突起５２は、開閉部材３３の長手方向の中間位置に形成される。
【００２６】
このような開閉部材３３を取り付けるため、蓋本体３２は摺動片５１に対応する位置、つまり図５に示したように、直接飲み用の貫通穴４２に隣接する外周壁部４８の上端位置の上に、摺動溝５５を有し、この摺動溝５５より下の両側面に、係合突起５２が係合する複数組の被係合部５６，５７，５８を有している。
【００２７】
被係合部５６，５７，５８は、図３、図５、図７に示したように、摺動溝５５の長手方向の中間位置と、長手方向におけるストロー用の貫通穴４１に近い端部位置と、長手方向における直接飲み用の貫通穴４２側に寄った位置の３か所である。
【００２８】
長手方向の中間位置の被係合部５６は、貫通穴４１，４２を２個とも閉じる閉鎖位置に開閉部材３３を位置させるものである。ストロー用の貫通穴４１に近い端部位置の被係合部５７は、図８に示したように、直接飲み用の貫通穴４２のみを開放する開放位置に開閉部材３３を位置させるものである。直接飲み用の貫通穴４２側に寄った位置の被係合部５８は、図９に示したようにストロー用の貫通穴４１のみを開放する開放位置に開閉部材３３を位置させるものである。閉じるといっても開閉部材３３は密閉するわけではなく、蓋本体３２との間に摺動のためのクリアランスを有し、通気が可能である。
【００２９】
前述の係合突起５２と被係合部５６，５７，５８は、蓋本体３２と開閉部材３３との間に形成されて、開閉部材３３を貫通穴４１，４２が開放される位置と閉鎖される位置に位置決めする位置決め構造である。
【００３０】
また、開閉部材３３は、図３に示したように、貫通穴４１，４２を同時に閉鎖位置にある場合に外周壁部４７，４８の上端に対して上から近接する閉鎖端部６１，６２を有している。直接飲み用の貫通穴４２に隣接する外周壁部４８は高いので、閉鎖端部６１は薄く形成されるが、ストロー用の貫通穴４１の近傍の外周壁部４７は低いので、閉鎖端部６２は上下に長く形成される。これら閉鎖端部６１，６２は、摺動凹部４３を形成するための切欠き部分に嵌合対応する形状であり、クリアランス以外に大きな隙間がない状態である。閉鎖端部６１，６２は外周壁部４７，４８の上端に上から近接するので、外周壁部４７，４８の上端は閉鎖端部６１，６２によって覆われることになる。
【００３１】
外周壁部４７，４８を有する周壁３５は、前述のように上端側ほど若干外周側に広がるように湾曲している。このため、閉鎖端部６１，６２の上端外周縁には、周壁３５との同様に外方にせり出す庇部６１ａ，６２ａが形成されている。
【００３２】
開閉部材３３は、摺動凹部４３の長手方向のいずれの方向にも摺動するが、前述のように２個の外周壁部４７，４８の高さと２個の閉鎖端部６１，６２の高さはそれぞれ異なる。このため、無理に摺動操作して破損等が生じるのを回避するため、蓋本体３２における開閉部材３３が摺動する摺動凹部４３の上面、つまり摺動凹部４３の底面における中間部４６には、図３、図９に示したように、開閉部材３３の長さの長い方の閉鎖端部６２の内側面が引っかかる抜け止めストッパ６５が突設されている。ストッパ６５の形成位置は、図９に示したように、ストロー用の貫通穴４１を開放する位置で、具体的には前述の直接飲み用の貫通穴４２側に寄った位置の被係合部５８に係合突起５２を係合させる位置である。ストッパ６５の高さは、摺動溝５５の高さに満たない高さに設定される。ストッパ６５は、直接飲み用の貫通穴４２を開放する方向では作用せず、図８に示したように開閉部材３３を、直接飲み用の貫通穴４２開放するときの方向にさらに移動すれば、開閉部材３３は蓋本体３２から外せる。
【００３３】
また、開閉部材３３の上面と蓋本体３２の摺動凹部４３を除く隔壁部４０の上面は全体として上に凸の緩やかな曲面状で、統一性を有する形状である。開閉部材３３の上面中央には平面視円形の凹椀状の凹所６７が形成されている。凹所６７は手の親指の腹が入る程度の大きさである。
【００３４】
以上のように構成された蓋体３１はつぎのようにして使用される。
【００３５】
前述のように開口部１２に大径部１３を備えた飲料容器１１や、大径部１３を備えないまでも開口部１２の大きさが合う飲料容器１１の開口部１２に蓋体３１の厚さ方向の下側部分を嵌め込む。この状態において蓋本体３２の周壁３５は上側のリブ３６よりも上にのびているので、開閉部材３３は飲料容器１１の開口部１２より上に位置することになる。
【００３６】
蓋体３１を外すときには、周壁３５が上にのびているとともに、外周側に広がった形状であるので、指先の引っ掛かりがよくて、外しやすい。
【００３７】
取り付け時において蓋体３１は、埃等の侵入から飲料容器１１内の飲料を保護するとともに、飲料容器１１の保温機能を助ける。また、飲料容器１１が倒れたときでも、蓋体３１はパッキン３８を介して飲料容器１１に装着されているので、容易に外れることはなく、蓋体３１は大量の飲料の急激な流出を抑制する。
【００３８】
飲料を飲むときは、飲み方によって開放する貫通穴を選ぶ。飲料容器１１を傾けて飲む場合には、図１、図８に示したように蓋体３１の開閉部材３３を一方に水平移動し、直接飲み用の貫通穴４２を開放する。開閉部材３３の移動方向は、高さの低い方の閉鎖端部６１を押す方向でよく、目視ですぐに認識できる。開閉部材３３の移動は、閉鎖端部６１を押しても、上面に凹所６７に指を引っ掛けても行えるので、状況に応じていずれの方法を取ることもでき便利であるうえ、動作は非常に簡単である。
【００３９】
閉鎖位置に係合していた開閉部材３３は、移動させると係合突起５２を中間の被係合部５６から外して、ストロー用貫通穴４１に近い位置の被係合部５７に係合突起５２を係合した時点で移動が止まる。位置決め構造によるこの位置決めによって、直接飲み用の貫通穴４２は開放状態に保たれる。
【００４０】
貫通穴４２に口を付けて飲料容器１１を傾けると、飲料は貫通穴４２から流れ出る。このときにもう一方の穴、つまりストロー用貫通穴４１は、空気孔として機能して、脈動のない円滑な注出を可能にする。
【００４１】
また、貫通穴４１は開閉部材３３で覆われているので、たとえ急に大きく傾けたとしても、飲料が顔にかかったりすることはない。このため、たとえ熱い飲料であっても安全を確保できる。
【００４２】
飲料容器１１を傾けて飲料の一部を飲んだ後で飲料容器１１を立てると、飲料容器１１内に戻ろうとする飲料は、穴形成部４５に収まり、そのまま貫通穴４２を通って飲料容器１１の中に戻る。つまり飲料が摺動凹部４３の底面の中間部４６の方に入ったりすることを防止できる。しかも外周壁部４８は、飲料容器１１の開口部１２よりも上にのびているので、口を付けて飲んでも飲料が飲料容器１１の開口部に付着することを回避できる。このため、貫通穴４２の周辺部分に飲料が残留したりすることはない。
【００４３】
またこのような飲料動作のあと、開閉部材３３を閉鎖位置に移動して、直接飲み用の貫通穴４２を閉じると、外周壁部４８の上は閉鎖端部６１によって隠ぺいされるので、この点からも外観を美麗にすることができる。そのうえ、閉鎖端部６１には庇部６１ａが形成されているので、隠ぺい性がより一層高まるとともに、埃等が外周壁部４８の上に付着することを防止することもできる。
【００４４】
閉鎖部材３３を閉じる動作は、閉鎖部材３３の長手方向の端部が飲料容器１１よりも外周側に飛び出しているので、飲料容器１１の開口面積内に収まっている場合に比して、作業がしやすい。
【００４５】
飲料をストローで飲む場合には、前述とは逆に開閉部材３３の高さの高い閉鎖端部６２を押し込んで図９に示したようにストロー用の貫通穴４１を開放する。閉鎖位置に係合していた開閉部材３３は、移動させると係合突起５２を中間の被係合部５６から外して、直接飲み用の貫通穴４２に寄った位置の被係合部５８に係合突起５２を係合した時点で移動が止まる。このとき開閉部材３３はストッパ６５による規制も受ける。位置決め構造による位置決めによって、ストロー用の貫通穴４１は開放状態に保たれる。
【００４６】
飲む際には貫通穴４１にストローＳを差し込んで吸引する。吸い込みは、もう一つの穴、つまり直接飲み用の貫通穴４２が通気穴として機能するので、貫通穴４１が小さくても円滑に行える。また、貫通穴４１の大きさはストローＳに対応する大きさであるので、ストローＳの差し込み姿勢が安定する。このため、パソコンの操作中や自動車の運転中などでも非常に飲みやすい。しかも、大きい方の穴である貫通穴４２は開閉部材３３で覆われているので、貫通穴４２から埃などが入ることもない。
【００４７】
さらに、貫通穴４１を有する穴形成部４４は、外周壁部４７を有しているので、換言すれば一段低く形成されているので、ストローＳを取りだした時にストローＳの先に付着している液体が落ちたとしても、液体が外にはみ出すことはない。流れるほどの量の液体であれば、液体は貫通穴４１から飲料容器１１内に戻る。しかも、前述同様に、開閉部材３３には閉鎖端部６２が形成されているので、開閉部材３３を閉じたときには内部と外周壁４７の上端は隠ぺいされ、埃等からも保護される。
【００４８】
ストロー用の貫通穴４１は直接口を付けて飲むのに使用してもよい。
【００４９】
以上のように、飲料を一度途中まで飲んだ後でも飲み口部分に飲料が残ったり見えたりすることを抑えることができ、飲み口部分を視覚的にも実質的にも美麗に保てる。しかも、飲料を二種類の飲み方で飲めるうえに、いずれの場合でも前述の利点が得られる。
【００５０】
また、開閉部材３３は蓋本体から外せる上に、開閉部材３３も蓋本体３２も簡素な形状であるので、洗浄が容易である。
【００５１】
以上の説明における構成は、この発明を実施するための一形態であって、この発明は前述の構成のみに限定されるものではなく、その他の構成を採用することもできる。
【００５２】
たとえば、開閉部材の摺動は、一直線上を摺動するものではなく、回転するものであってもよい。
【００５３】
また開閉部材は貫通穴を開放した時に外周側に突出しないように蓋体の平面視内に収まる範囲で摺動するものであってもよい。
【００５４】
蓋体の飲料容器に対する嵌合は外嵌合であってもよい。
【符号の説明】
【００５５】
１１…飲料容器
１２…開口部
３１…蓋体
３２…蓋本体
３３…開閉部材
４１，４２…貫通穴
４３…摺動凹部
４４，４５…穴形成部
４５ａ…傾斜面
４７，４８…外周壁部
５１…摺動片
５２…係合突起
５５…摺動溝
５６，５７，５８…被係合部
６１，６２…閉鎖端部
６１ａ，６２ａ…庇部
６５…ストッパ
【図１】
0006639241.tif 000002
【図２】
0006639241.tif 000003
【図３】
0006639241.tif 000004
【図４】
0006639241.tif 000005
【図５】
0006639241.tif 000006
【図６】
0006639241.tif 000007
【図７】
0006639241.tif 000008
【図８】
0006639241.tif 000009
【図９】
0006639241.tif 000010